(57)【要約】【課題】液晶表示パネル等の情報表示装置を持たない複写装置において、複写部数の設定状態をユーザがわかりやすくなるようにする。【解決手段】コピー機能を有する複合機１において、モノクロコピーキー２３が押下されると、モノクロコピーのコピー部数が設定される。例えば、モノクロコピーキー２３が押下される毎に、コピー部数の設定値が１部ずつ増加していく。複合機１は、複数のＬＥＤ３１〜３４を備えている。モノクロコピーキー２３が押下されることによりモノクロコピーのコピー部数が設定されると、そのコピー部数の設定値に応じて複数のＬＥＤ３１〜３４の発光状態が制御される。【選択図】図１
2015069034.tif 000002
【特許請求の範囲】
【請求項１】
原稿の画像を読み取って被記録媒体に複写する複写部と、
前記複写部による複写部数を設定するために操作される少なくとも１つの設定キーと、
複数の発光素子と、
制御部と、
を備え、
前記制御部は、
前記設定キーに対する操作内容に応じて前記複写部数を設定する複写部数設定処理と、
前記複写部数設定処理により設定された複写部数に応じた部数表示発光パターンとなるように各前記発光素子の発光状態を制御する部数表示制御処理と、
を実行することを特徴とする複写装置。
【請求項２】
請求項１に記載の複写装置であって、
前記複写部による複写に使用される、色の異なる複数のインクカートリッジを備え、
前記発光素子は、少なくとも前記インクカートリッジの数以上設けられ、各前記インクカートリッジに対してそれぞれ異なる１つの前記発光素子が対応付けられており、
前記制御部は、
何れかの前記インクカートリッジ内のインクの残量が規定残量以下となった場合に、そのインクカートリッジに対応した前記発光素子を所定の残量表示発光パターンで発光させる残量表示制御処理を実行可能であり、
前記残量表示制御処理の実行中に、前記設定キーに対する操作が行われることにより前記複写部数設定処理を開始した場合は、実行中の前記残量表示制御処理を中断して、前記部数表示制御処理を実行する
ことを特徴とする複写装置。
【請求項３】
請求項１又は請求項２に記載の複写装置であって、
前記部数表示発光パターンとして、所定の単位部数Ｐのｎ倍（ｎは自然数）の前記複写部数毎に異なる主表示発光パターンが予め設定されており、
前記制御部は、
前記複写部数設定処理において、前記設定キーに対する特定の部数増加操作が行われると、その部数増加操作の内容に応じて前記複写部数を順次増加させ、
前記部数表示制御処理において、前記部数増加操作により前記複写部数がｎＰ枚になる毎に、そのｎＰ枚に対して設定されている前記主表示発光パターンとなるように各前記発光素子を制御する
ことを特徴とする複写装置。
【請求項４】
請求項３に記載の複写装置であって、
前記部数表示発光パターンとして、前記複写部数が｛（ｎ−１）Ｐ＋１｝枚から｛ｎＰ−１｝枚の間に設定されていることを示す副表示発光パターンが前記ｎ毎に予め設定されており、
前記制御部は、前記部数表示制御処理において、前記部数増加操作により前記複写部数が｛（ｎ−１）Ｐ＋１｝枚から｛ｎＰ−１｝枚の間に設定されている間は、その設定されている部数に対して設定されている前記副表示発光パターンとなるように各前記発光素子を制御する
ことを特徴とする複写装置。
【請求項５】
請求項３又は請求項４に記載の複写装置であって、
各前記発光素子は、所定の配列順序で配置されており、
前記制御部は、前記部数表示制御処理において、前記複写部数がｎＰ枚になる毎に、そ
のｎＰ枚に対する前記主表示発光パターンとして、少なくとも前記配列順序における所定の端部からｎ番目の前記発光素子を点灯させる
ことを特徴とする複写装置。
【請求項６】
請求項４に記載の複写装置であって、
各前記発光素子は、所定の配列順序で配置されており、
前記制御部は、前記部数表示制御処理において、前記複写部数がｎＰ枚になる毎に、そのｎＰ枚に対する前記主表示発光パターンとして、少なくとも前記配列順序における所定の端部からｎ番目の前記発光素子を点灯させ、前記複写部数が｛（ｎ−１）Ｐ＋１｝枚から｛ｎＰ−１｝枚に設定されている間は、前記副表示発光パターンとして、少なくとも、前記配列順序における所定の端部からｎ番目の前記発光素子を点滅させる
ことを特徴とする複写装置。
【請求項７】
請求項１〜請求項６の何れか１項に記載の複写装置であって、
前記制御部は、前記複写部数設定処理において、前記設定キーに対する特定の部数減少操作が行われると、その部数減少操作の内容に応じて前記複写部数を順次減少させる
ことを特徴とする複写装置。
【請求項８】
請求項１〜請求項７の何れか１項に記載の複写装置であって、
前記制御部は、所定の部数確定条件が成立した場合に、その成立時に前記複写部数設定処理にて設定されている前記複写部数を確定させる部数確定処理を実行し、
前記複写部は、前記部数確定処理により前記複写部数が確定された場合、その確定された複写部数の複写を開始し、
前記制御部は、前記複写部による複写の開始後、前記部数表示制御処理において、前記確定された複写部数からすでに複写が行われた部数を減じた部数である残部数に応じた前記部数表示発光パターンとなるように各前記発光素子を制御する
ことを特徴とする複写装置。
【請求項９】
請求項１〜請求項８の何れか１項に記載の複写装置であって、
前記複写部は、前記複写を少なくとも白黒及び多色の何れかのカラーモードで実行可能であり、
前記設定キーとして、少なくとも、白黒での複写の指示及びその複写部数の設定操作を受け付けるための白黒複写設定キー、及び多色での複写の指示及びその複写部数の設定操作を受け付けるための多色複写設定キーを有し、
前記制御部は、前記複写部数設定処理の開始後、前記白黒複写設定キー及び前記多色複写設定キーのうち最初に操作された一方の設定キーに対応したカラーモードでの複写実行を受け付けると共に、その一方の設定キーに対する操作内容に応じて複写部数を設定する
ことを特徴とする複写装置。
【請求項１０】
請求項９に記載の複写装置であって、
前記制御部は、前記複写部数設定処理において、前記一方の設定キーに対する特定の部数増加操作が行われると、その部数増加操作の内容に応じて前記複写部数を順次増加させ、前記白黒複写設定キー及び前記多色複写設定キーのうち前記一方の設定キーとは異なる他方の設定キーに対する特定の部数減少操作が行われると、その部数減少操作の内容に応じて前記複写部数を順次減少させる
ことを特徴とする複写装置。
【発明の詳細な説明】
【技術分野】
【０００１】
本発明は、複写装置に関する。
【背景技術】
【０００２】
特許文献１には、コピースタートキーをコピーしたい部数（枚数）と同じ回数押下した後、一定のディレータイム経過後にコピー動作が開始される複写装置が記載されている。この複写装置には、液晶表示パネルが搭載されており、コピースタートキーが押下される毎に、押下回数（即ちコピー部数）が液晶表示パネルに表示される。そのため、ユーザは、液晶表示パネルを見ることで、コピー部数を容易に把握（視認）することができる。
【先行技術文献】
【特許文献】
【０００３】
【特許文献１】実開平５−９０５０７号公報
【発明の概要】
【発明が解決しようとする課題】
【０００４】
複写装置に対しては、高い機能を備えたモデルへの需要がある一方で、低価格のモデルに対する需要も多い。複写装置の価格を抑えるための種々の方法の１つとして、液晶表示パネルを省くことが考えられる。液晶表示パネルのないモデルにすることで、その分、コストダウンや小型化が可能となる。
【０００５】
しかし、液晶表示パネルがない複写装置では、複数枚のコピーを行おうとすると、コピー部数の設定が煩雑化し、わかりにくくなる。例えば、特許文献１に記載の複写装置と同様に、コピースタートキーの押下回数によってコピー部数を設定する構成の場合、押下回数が多くなるほど、ユーザは、今何回押したのか（つまり設定部数が今何部なのか）がわかりにくくなる。コピー部数を把握するためには、ユーザは、キーの押下操作の際には押下回数をしっかり把握しながら押下する必要があり、ユーザにとって使い勝手が悪くなるおそれがある。
【０００６】
本発明は上記課題に鑑みなされたものであり、液晶表示パネル等の情報表示装置を持たない複写装置において、複写部数の設定状態をユーザがわかりやすくなるようにすることを目的とする。
【課題を解決するための手段】
【０００７】
上記課題を解決するためになされた本発明の複写装置は、複写部と、少なくとも１つの設定キーと、複数の発光素子と、制御部とを備える。複写部は、原稿の画像を読み取って被記録媒体に複写する。設定キーは、複写部による複写部数を設定するために操作される。
【０００８】
制御部は、複写部数設定処理と、部数表示制御処理とを実行する。複写部数設定処理は、設定キーに対する操作内容に応じて複写部数を設定する処理である。部数表示制御処理は、複写部数設定処理により設定された複写部数に応じた部数表示発光パターンとなるように各発光素子の発光状態を制御する処理である。
【０００９】
上記構成の複写装置によれば、複数の発光素子が、複写部数に応じた部数表示発光パターンで発光するように制御される。そのため、複写装置が液晶表示パネル等の情報表示装置を持たない構成であっても、複写部数の設定状態をユーザが把握しやすくなる。
【００１０】
本発明の複写装置は、より具体的には次のように構成してもよい。即ち、複写部による複写に使用される、色の異なる複数のインクカートリッジを備える。発光素子は、少なくともインクカートリッジの数以上設けられ、各インクカートリッジに対してそれぞれ異なる１つの発光素子が対応付けられている。制御部は、残量表示制御処理を実行可能である。この残量表示制御処理は、何れかのインクカートリッジ内のインクの残量が規定残量以下となった場合に、そのインクカートリッジに対応した発光素子を所定の残量表示発光パターンで発光させる処理である。制御部は、残量表示制御処理の実行中に、設定キーに対する操作が行われることにより複写部数設定処理を開始した場合は、実行中の残量表示制御処理を中断して、部数表示制御処理を実行する。
【００１１】
このように構成された複写装置によれば、インク残量に関する情報を報知するために設けられた各色毎の発光素子が、複写が行われる際には、複写部数に関する情報の報知用として用いられる。つまり、インク残量報知用の発光素子と複写部数報知用の発光素子とを別々に設けるのではなく、同じ複数の発光素子を、インク残量報知用と複写部数報知用とで兼用する。そのため、装置の大型化及びコストアップを抑えつつ、付加価値の高い複写装置を提供することが可能となる。
【００１２】
本発明の複写装置は、次のように構成してもよい。即ち、部数表示発光パターンとして、所定の単位部数Ｐのｎ倍（ｎは自然数）の複写部数毎に異なる主表示発光パターンが予め設定されている。制御部は、複写部数設定処理において、設定キーに対する特定の部数増加操作が行われると、その部数増加操作の内容に応じて複写部数を順次増加させる。制御部は、部数表示制御処理において、部数増加操作により複写部数がｎＰ枚になる毎に、そのｎＰ枚に対して設定されている主表示発光パターンとなるように各発光素子を制御する。
【００１３】
このように構成された複写装置によれば、設定中の複写部数が単位部数Ｐのｎ倍になる毎に、各発光素子が異なる発光パターン（主表示発光パターン）となるように制御される。そのため、複写装置のユーザは、複写部数の設定操作中に、少なくとも、複写部数がｎＰ枚に到達しているか否かを判断することができる。
【００１４】
上記構成の複写装置は、更に、部数表示発光パターンとして、複写部数が｛（ｎ−１）Ｐ＋１｝枚から｛ｎＰ−１｝枚の間に設定されていることを示す副表示発光パターンがｎ毎に予め設定された構成としてもよい。この場合、制御部は、部数表示制御処理において、部数増加操作により複写部数が｛（ｎ−１）Ｐ＋１｝枚から｛ｎＰ−１｝枚の間に設定されている間は、その設定されている部数に対して設定されている副表示発光パターンとなるように各発光素子を制御するようにするとよい。
【００１５】
このように構成された複写装置によれば、ｎＰ枚毎に異なる発光パターン（主表示発光パターン）で制御されるのに加え、さらに、（ｎ−１）Ｐ＋１枚以上でｎＰ枚未満の間の部数に設定されている間も、ｎ毎に異なる発光パターン（副表示発光パターン）で制御される。そのため、ユーザは、複写部数の設定状態をより把握しやすくなる。
【００１６】
各発光素子が所定の配列順序で配置されている場合、制御部は、部数表示制御処理において、主表示発光パターンでの発光と副表示発光パターンでの発光をそれぞれ次のようにしてもよい。
【００１７】
即ち、主表示発光パターンでの発光については、制御部は、部数表示制御処理において、複写部数がｎＰ枚になる毎に、そのｎＰ枚に対する主表示発光パターンとして、少なくとも配列順序における所定の端部からｎ番目の発光素子を点灯させるようにしてもよい。
【００１８】
このような構成の複写装置によれば、設定中の複写部数がｎＰ枚になる毎に、配列順におけるｎ番目の発光素子が点灯される。そのため、ユーザは、点灯している発光素子の位置に基づいて、複写部数の設定状態を容易に把握することが可能となる。
【００１９】
副表示発光パターンでの発光については、制御部は、部数表示制御処理において、複写部数が｛（ｎ−１）Ｐ＋１｝枚から｛ｎＰ−１｝枚に設定されている間は、副表示発光パターンとして、少なくとも、配列順序における所定の端部からｎ番目の発光素子を点滅させるようにしてもよい。
【００２０】
複写装置をこのように構成すれば、設定中の複写部数がｎＰ枚になる毎にｎ番目の発光素子が点灯されることに加え、設定中の複写部数が｛（ｎ−１）Ｐ＋１｝枚から｛ｎＰ−１｝枚に設定されている間は、ｎ番目の発光素子が点滅される。そのため、ユーザは、発光素子の発光状態（点灯又は点滅）及びその位置に基づいて、複写部数の設定状態をより容易に把握することが可能となる。
【００２１】
制御部は、複写部数設定処理において、設定キーに対する特定の部数減少操作が行われると、その部数減少操作の内容に応じて複写部数を順次減少させるようにしてもよい。
複写装置をこのように構成することで、設定キーにより複写部数を設定する際、複写部数の増加だけでなく、減少させることもできる。そのため、複写部数を設定する際のユーザの使い勝手を向上させることが可能となる。
【００２２】
本発明の複写装置は、より具体的には次のように構成してもよい。即ち、制御部は、部数確定処理を実行する。この部数確定処理は、所定の部数確定条件が成立した場合に、その成立時に複写部数設定処理にて設定されている複写部数を確定させる処理である。複写部は、部数確定処理により複写部数が確定された場合、その確定された複写部数の複写を開始する。複写部による複写の開始後、制御部は、部数表示制御処理において、確定された複写部数からすでに複写が行われた部数を減じた部数である残部数に応じた部数表示発光パターンとなるように各発光素子を制御する。
【００２３】
このように構成された複写装置によれば、複写部数が確定して複写が開始された後も、残部数に応じて発光パターンが制御される。そのため、ユーザは、複写開始後に残部数を把握することが可能となり、ユーザの使い勝手をより向上させることが可能となる。
【００２４】
本発明の複写装置は、より具体的には次のように構成してもよい。即ち、複写部は、複写を少なくとも白黒及び多色の何れかのカラーモードで実行可能であり、設定キーとして、少なくとも、白黒複写設定キー及び多色複写設定キーを有する。白黒複写設定キーは、白黒での複写の指示及びその複写部数の設定操作を受け付けるための設定キーである。多色複写設定キーは、多色での複写の指示及びその複写部数の設定操作を受け付けるための設定キーである。制御部は、複写部数設定処理の開始後、白黒複写設定キー及び多色複写設定キーのうち最初に操作された一方の設定キーに対応したカラーモードでの複写実行を受け付けると共に、その一方の設定キーに対する操作内容に応じて複写部数を設定する。
【００２５】
このように構成された複写装置によれば、複写時のカラーモードを少なくとも白黒又は多色の何れかに選択的に設定可能であり、カラーモード毎に設定キーが用意されている。ユーザは、所望のカラーモードに対応した設定キーを操作することで、その所望のカラーモードについて、複写部数の設定と把握、及び複写指示を行うことができる。
【００２６】
上記のように白黒及び多色のカラーモードを有する複写装置は、さらに、次のように構成してもよい。即ち、制御部は、複写部数設定処理において、一方の設定キーに対する特
定の部数増加操作が行われると、その部数増加操作の内容に応じて複写部数を順次増加させ、白黒複写設定キー及び多色複写設定キーのうち上記一方の設定キーとは異なる他方の設定キーに対する特定の部数減少操作が行われると、その部数減少操作の内容に応じて複写部数を順次減少させるようにしてもよい。
【００２７】
このように構成された複写装置によれば、所望のカラーモードでの複写部数の増減設定を、対応するカラーモードの設定キー及び他方の設定キーの双方を用いて容易に行うことができる。
【図面の簡単な説明】
【００２８】
【図１】実施形態の複合機の概略構成を表す説明図である。
【図２】コピー部数表示モード時における各ＬＥＤの発光パターンを表す説明図である。
【図３】第１実施形態のコピー制御処理を表すフローチャートである。
【図４】図３のコピー制御処理におけるＳ１５０及びＳ２２０、図５のコピー制御処理におけるＳ６５０、Ｓ７３０及びＳ７９０、図６のコピー制御処理におけるＳ９２０のコピー部数表示処理の詳細を表すフローチャートである。
【図５】第２実施形態のコピー制御処理を表すフローチャートである。
【図６】第２実施形態のコピー制御処理を表すフローチャート（図５の続き）である。
【発明を実施するための形態】
【００２９】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。例えば、下記の実施形態の構成の一部を、同様の機能を有する公知の構成に置き換えたり、他の実施形態の構成に対して付加、置換等したり、課題を解決できる限りにおいて省略したりしてもよい。また、下記の複数の実施形態を適宜組み合わせて構成してもよい。
【００３０】
［第１実施形態］
（１）複合機の構成
図１（ａ）に示す本実施形態の複合機１は、コピー機能、プリント機能、スキャン機能などの複数の機能を有する多機能周辺装置である。図１（ａ）に示すように、複合機１は、ＣＰＵ１１、ＲＯＭ１２、ＲＡＭ１３、ＮＶＲＡＭ１４、画像読取部１５、画像形成部１６、操作パネル１７、ネットワーク通信部１８などを備えている。
【００３１】
ＣＰＵ１１は、ＲＯＭ１２やＮＶＲＡＭ１４に記憶されている各種プログラムに従って複合機１内の各部の制御を実行する。ＲＡＭ１３は、各種の情報を記憶するワークエリアや画像データを記憶するメインメモリ等として利用される。ＮＶＲＡＭ（Non Volatile RAM）１４は、記憶内容を電気的に書き換え可能な不揮発性メモリであり、ファームウェアや各種設定値、各種プログラム、各種データ等が記憶される。なお、ＲＯＭ１２又はＮＶＲＡＭ１４に記憶されている各種プログラムの１つとして、後述するコピー制御処理プログラム（図３参照）がある。
【００３２】
画像読取部１５は、イメージセンサを備え、原稿台（図示略）にセットされた原稿の画像を読み取ってその画像データを生成する。画像読取部１５によりスキャン機能が実現される。画像形成部１６は、印刷用紙等の被記録媒体に画像を形成（印刷）する。画像形成部１６によりプリント機能が実現される。また、コピー（複写）機能は、画像読取部１５で読み取られた画像を画像形成部１６で印刷させることにより実現される。画像読取部１５と画像形成部１６とからなる構成は、本発明の複写部の一例に相当する。ネットワーク
通信部１８は、有線ＬＡＮ又は無線ＬＡＮ（又はその両方）の信号処理を担う通信モジュールである。複合機１は、コピー機能として、モノクロ（白黒）で印刷出力するモノクロコピーと、カラー（多色）で印刷出力するカラーコピーの機能を有している。
【００３３】
操作パネル１７は、ユーザにより操作される各種の操作キーや複数のＬＥＤを有する。図１（ｂ）は、操作パネル１７の正面図を示している。図１（ａ），（ｂ）に示すように、操作パネル１７は、電源キー２１と、停止キー２２と、モノクロコピーキー２３と、カラーコピーキー２４とを備えている。また、操作パネル１７は、５つのＬＥＤ、即ち、マゼンタＬＥＤ３１、シアンＬＥＤ３２、イエローＬＥＤ３３、ブラックＬＥＤ３４、及びエラーＬＥＤ３５を備えている。これら各ＬＥＤ３１〜３５は、ＣＰＵ１１により制御される。
【００３４】
画像形成部１６には、図１（ａ）に示すように、当該画像形成部１６が印刷を行う際に用いられるインクカートリッジとして、マゼンタのインクを収容したカートリッジ１６ａと、シアンのインクを収容したカートリッジ１６ｂと、イエローのインクを収容したカートリッジ１６ｃと、ブラックのインクを収容したカートリッジ１６ｄが収容されている。
【００３５】
電源キー２１は、複合機１の電源をオン、オフする際に押下される操作キーである。停止キー２２は、操作を中止するときや設定を終了するときなどに押下される操作キーである。
【００３６】
モノクロコピーキー２３は、モノクロでのコピーの指示及びそのコピー部数の設定（増加）操作を受け付けるための設定キーである。なお、後述するように、コピー色がカラーに設定されてカラーコピーが行われる際は、モノクロコピーキー２３は、カラーコピーのコピー部数を減少させるための操作キーとして機能する。
【００３７】
カラーコピーキー２４は、カラーでの複写の指示及びその複写部数の設定操作を受け付けるための設定キーである。なお、後述するように、コピー色がモノクロに設定されてモノクロコピーが行われる際は、カラーコピーキー２４は、モノクロコピーのコピー部数を減少させるための操作キーとして機能する。
【００３８】
エラーＬＥＤ３５は、複合機１においてエラーが発生した場合に点灯される。マゼンタＬＥＤ３１、シアンＬＥＤ３２、イエローＬＥＤ３３、及びブラックＬＥＤ３４の４つのＬＥＤは、主に２つの目的で使用される。２つの目的のうち１つは、上記各カートリッジのインクの残量に関する情報を外部に報知することであり、もう１つは、コピー機能実行時においてユーザにより設定されるコピー部数の設定状態を外部に報知することである。これら４つのＬＥＤ３１〜３４を、以下、「インク用ＬＥＤ」ともいう。
【００３９】
即ち、複合機１は、インク用ＬＥＤの動作モード（以下「ＬＥＤ表示モード」という）として、インクの残量に関する情報を外部に報知するモードである通常表示モードと、コピー部数の設定状態を外部に報知するモードであるコピー部数表示モードとを有している。コピーが行われていない通常時は、ＬＥＤ表示モードは通常表示モードに設定され、各インク用ＬＥＤ３１〜３４は、それぞれ、対応するインクカートリッジのインク残量に応じた発光状態となる。一方、何れかのコピーキーが押下されることによりコピー機能が作動し始めると、ＬＥＤ表示モードはコピー部数表示モードに設定され、各インク用ＬＥＤ３１〜３４は、コピー部数の設定状態に応じた発光状態となる。
【００４０】
図１（ｂ）に示すように、４つのインク用ＬＥＤ３１〜３４は、操作パネル１７における左側の領域において、マゼンタＬＥＤ３１、シアンＬＥＤ３２、イエローＬＥＤ３３、及びブラックＬＥＤ３４の順で左方向に一列に配置されている。エラーＬＥＤ３５は、マ
ゼンタＬＥＤ３１の右側に配置されている。
【００４１】
操作パネル１７において、マゼンタＬＥＤ３１の上側には、マゼンタを示す文字「Ｍ」が記されている。シアンＬＥＤ３２の上側には、シアンを示す文字「Ｃ」が記されている。イエローＬＥＤ３３の上側には、イエローを示す文字「Ｙ」が記されている。ブラックＬＥＤ３４の上側には、ブラックを示す文字「Ｂ」が記されている。
【００４２】
操作パネル１７において、マゼンタＬＥＤ３１の下側には、コピー部数が５部であることを示す数字「５」が記されている。シアンＬＥＤ３２の下側には、コピー部数が１０部であることを示す数字「１０」が記されている。イエローＬＥＤ３３の下側には、コピー部数が１５部であることを示す数字「１５」が記されている。ブラックＬＥＤ３４の下側には、コピー部数が２０部であることを示す数字「２０」が記されている。
【００４３】
（２）通常表示モードでのインク用ＬＥＤの動作
ＬＥＤ表示モードが通常表示モードに設定されているときは、４つのインク用ＬＥＤ３１〜３４は、次のように動作する。即ち、４つのインク用ＬＥＤ３１〜３４のうち、マゼンタＬＥＤ３１は、通常は消灯しているが、マゼンタのインクがニアエンプティ状態になると点滅し、エンプティ状態になると点灯する。なお、ニアエンプティ状態とは、インクの残量が規定残量以下になったもののまだ使用可能（そのインクを用いて印刷可能）な状態を示す。エンプティ状態とは、インクの残量が、印刷に最低限必要な下限残量よりも少なくなって使用不可能（そのインクを用いた印刷は不可能）となっている状態を示す。
【００４４】
シアンＬＥＤ３２は、通常は消灯しているが、シアンのインクがニアエンプティ状態になると点滅し、エンプティ状態になると点灯する。イエローＬＥＤ３３は、通常は消灯しているが、イエローのインクがニアエンプティ状態になると点滅し、エンプティ状態になると点灯する。ブラックＬＥＤ３４は、通常は消灯しているが、ブラックのインクがニアエンプティ状態になると点滅し、エンプティ状態になると点灯する。
【００４５】
なお、インクカートリッジのエンプティ状態は、複合機１においてエラーとして定義されている複数種類の状態の１つである。そのため、何れかのインクカートリッジがエンプティ状態になると、エラーＬＥＤ３５も点灯する。
【００４６】
（３）コピー部数表示モードでのインク用ＬＥＤの動作
複合機１のコピー機能を利用しようとするユーザは、モノクロコピーキー２３及びカラーコピーキー２４のうち印刷出力させたいコピー色に対応したコピーキーを押下することで、そのコピー色でコピーさせることができる。
【００４７】
コピーを開始しようとする際、最初に押下されたコピーキーに対応した色（モノクロ又はカラーの何れか）が、コピーを行う際のコピー色として設定される。そして、設定されたコピー色に対応したコピーキーを押す毎にコピー部数が１部ずつ増加していき、設定されたコピー色とは異なる色に対応したコピーキーを押す毎にコピー部数が１部ずつ減少していく。
【００４８】
例えば、コピーを開始しようとする際、最初にモノクロコピーキー２３が押下された場合は、コピー色がモノクロに設定される。この場合、モノクロコピーキー２３が押下される毎にコピー部数が増加していき、カラーコピーキー２４が押下される毎にコピー部数が減少していく。そして、所定の部数確定条件が成立すると、その時に設定されているコピー部数が確定され、そのコピー部数のモノクロコピーが実行される。なお、部数確定条件は、本実施形態では、押下されたコピーキーが離されてから（押下されていない状態に戻されてから）２秒以上経過すること、即ち、何れのコピーキーも押下されていない状態が
２秒以上継続することである。なお、コピーキーを押下する、とは、コピーキーが複合機１の内部において電気的にオンされる（例えばコピーキーと連動して動作する内部スイッチがオンする）ことを意味する。また、コピーキーが離される、とは、コピーキーが複合機１の内部において電気的にオフされる（例えばコピーキーと連動して動作する内部スイッチがオフする）ことを意味する。
【００４９】
一方、コピーを開始しようとする際、最初にカラーコピーキー２４が押下された場合は、コピー色がカラーに設定される。この場合、カラーコピーキー２４が押下される毎にコピー部数が増加していき、モノクロコピーキー２３が押下される毎にコピー部数が減少していく。そして、部数確定条件が成立すると、その時に設定されているコピー部数が確定され、そのコピー部数のカラーコピーが実行される。
【００５０】
何れかのコピーキーが押下されることによりコピー機能が作動し始めると、コピーが完了するか又は停止キー２２が押下されてコピーが中止されるまでの間（つまりコピー機能の作動中）は、ＬＥＤ表示モードはコピー部数表示モードに切り替わる。
【００５１】
ＬＥＤ表示モードがコピー部数表示モードに設定されているときは、４つのインク用ＬＥＤ３１〜３４は、設定されているコピー部数に応じた発光パターンで発光する。具体的には、図２に示すように、設定されているコピー部数に応じて、発光パターンＡ〜Ｈの何れかにて発光する。
【００５２】
図２に示すように、コピー部数表示モードにおける８つの発光パターンのうち、発光パターンＡは、４つのインク用ＬＥＤ３１〜３４のうちマゼンタＬＥＤ３１が所定の周期で点滅して他の３つのＬＥＤ３２〜３４は何れも消灯する発光パターンである。コピー部数が１〜４部の何れかに設定されている場合に、インク用ＬＥＤ３１〜３４はこの発光パターンＡで動作する。
【００５３】
発光パターンＢは、マゼンタＬＥＤ３１が点灯して他の３つのＬＥＤ３２〜３４は何れも消灯する発光パターンである。コピー部数が５部に設定されている場合に、インク用ＬＥＤ３１〜３４はこの発光パターンＢで動作する。
【００５４】
発光パターンＣは、マゼンタＬＥＤ３１が点灯してシアンＬＥＤ３２が所定の周期で点滅し、他の２つのＬＥＤ３３，３４は何れも消灯する発光パターンである。コピー部数が６〜９部に設定されている場合に、インク用ＬＥＤ３１〜３４はこの発光パターンＣで動作する。
【００５５】
発光パターンＤは、マゼンタＬＥＤ３１及びシアンＬＥＤ３２が共に点灯して他の２つのＬＥＤ３３，３４は何れも消灯する発光パターンである。コピー部数が１０部に設定されている場合に、インク用ＬＥＤ３１〜３４はこの発光パターンＤで動作する。
【００５６】
発光パターンＥは、マゼンタＬＥＤ３１及びシアンＬＥＤ３２が共に点灯してイエローＬＥＤ３３が所定の周期で点滅し、ブラックＬＥＤ３４は消灯する発光パターンである。コピー部数が１１〜１４部に設定されている場合に、インク用ＬＥＤ３１〜３４はこの発光パターンＥで動作する。
【００５７】
発光パターンＦは、マゼンタＬＥＤ３１、シアンＬＥＤ３２及びイエローＬＥＤ３３が共に点灯してブラックＬＥＤ３４が消灯する発光パターンである。コピー部数が１５部に設定されている場合に、インク用ＬＥＤ３１〜３４はこの発光パターンＦで動作する。
【００５８】
発光パターンＧは、マゼンタＬＥＤ３１、シアンＬＥＤ３２及びイエローＬＥＤ３３が
共に点灯してブラックＬＥＤ３４が所定の周期で点滅する発光パターンである。コピー部数が１６〜１９部に設定されている場合に、インク用ＬＥＤ３１〜３４はこの発光パターンＧで動作する。
【００５９】
発光パターンＨは、４つのインク用ＬＥＤ３１〜３４が全て点灯する発光パターンである。コピー部数が２０部に設定されている場合に、インク用ＬＥＤ３１〜３４はこの発光パターンＨで動作する。
【００６０】
つまり、本実施形態では、５部を単位部数として、コピー部数の設定値がこの単位部数のｎ倍（本実施形態ではｎ＝１〜４）になる毎に、４つのインク用ＬＥＤ３１〜３４が右端（マゼンタＬＥＤ３１）から順次点灯していく。即ち、コピー部数が５部、１０部、１５部、２０部となる毎に、点灯するインク用ＬＥＤが右端から順に増えていく。
【００６１】
設定可能なコピー部数の最大値は、本実施形態では、インク用ＬＥＤの数（４個）に単位部数（５部）を乗じた値、即ち２０部である。本実施形態では、２０部を超えるコピー部数については設定を受け付けない。もちろん、これは必須ではなく、２０部を超えるコピー部数についても設定を受け付けるようにしてもよい。
【００６２】
なお、コピー部数表示モード時には、エラーＬＥＤ３５は点灯しない。ただし、複合機１においてエラーが発生している場合は、エラーＬＥＤ３５が点灯する。エラーが発生している場合は、コピー機能は使用できず、よってコピーキーを押下してもＬＥＤ表示モードはコピー部数表示モードに切り替わらない。ただし、エラーの内容によっては、コピーを実行できる状態が維持されることもある。その場合は、エラーが発生してもコピー機能を使用可能としてもよい。
【００６３】
（４）コピー制御処理の説明
次に、複合機１のＣＰＵ１１が実行するコピー制御処理について、図３を用いて説明する。ＣＰＵ１１は、電源が投入されて動作を開始すると、ＮＶＲＡＭ１４から図３のコピー制御処理のプログラムを読み込んで繰り返し実行する。
【００６４】
ＣＰＵ１１は、図３のコピー制御処理を開始すると、Ｓ１１０で、何れかのコピーキーが押下されたか否か判断する。何れのコピーキーも押下されていない場合は、Ｓ３４０で他の処理を行う。他の処理とは、コピー以外の、ユーザによる操作状態や複合機１の状態、ネットワーク通信部１８による外部からのデータの有無等に応じた処理である。
【００６５】
何れかのコピーキーが押下された場合は、Ｓ１２０で、コピー色を設定する。即ち、モノクロコピーキー２３が押下された場合はコピー色をモノクロに設定し、カラーコピーキー２４が押下された場合はコピー色をカラーに設定する。これにより、コピーをどの色で行うかが決定される。
【００６６】
Ｓ１３０では、ＬＥＤ表示モードを、コピー部数表示モードに設定する。なお、初期状態ではＬＥＤ表示モードは通常表示モードに設定されている。そのため、Ｓ１３０の処理は、ＬＥＤ表示モードを通常表示モードからコピー部数表示モードに切り替える処理である。このＳ１３０では、具体的には、４つのインク用ＬＥＤ３１〜３４を一旦全て点灯させ、０．５秒後に全て消灯させる。このＳ１３０の処理により、ユーザは、ＬＥＤ表示モードがコピー部数表示モードに切り替わったことを認識できる。このＳ１３０の処理により、インク用ＬＥＤ３１〜３４による、インク残量に関する情報の報知機能は中断される。
【００６７】
Ｓ１４０では、コピー部数の設定値を１に設定する。Ｓ１５０では、コピー部数表示処
理を実行する。コピー部数表示処理の詳細は、図４に示す通りである。即ち、コピー部数表示処理に移行すると、図４に示すように、Ｓ４１０で、コピー部数の設定値が４以下か否か判断する。コピー部数の設定値が４以下の場合は、Ｓ４２０で、インク用ＬＥＤ３１〜３４を発光パターンＡで発光させる。なお、図４において、「Ｍ」はマゼンタＬＥＤ３１を示し、「Ｃ」はシアンＬＥＤ３２を示し、「Ｙ」はイエローＬＥＤ３３を示し、「Ｂ」はブラックＬＥＤ３４を示している。
【００６８】
Ｓ４１０で、コピー部数の設定値が４以下でない（つまり５以上）の場合は、Ｓ４３０に進む。Ｓ４３０では、コピー部数の設定値が５か否か判断する。コピー部数の設定値が５の場合は、Ｓ４４０で、インク用ＬＥＤ３１〜３４を発光パターンＢで発光させる。
【００６９】
Ｓ４３０で、コピー部数の設定値が５でない（つまり６以上）の場合は、Ｓ４５０に進む。Ｓ４５０では、コピー部数の設定値が９以下か否か判断する。コピー部数の設定値が９以下の場合は、Ｓ４６０で、インク用ＬＥＤ３１〜３４を発光パターンＣで発光させる。
【００７０】
Ｓ４５０で、コピー部数の設定値が９以下でない（つまり１０以上）の場合は、Ｓ４７０に進む。Ｓ４７０では、コピー部数の設定値が１０か否か判断する。コピー部数の設定値が１０の場合は、Ｓ４８０で、インク用ＬＥＤ３１〜３４を発光パターンＤで発光させる。
【００７１】
Ｓ４７０で、コピー部数の設定値が１０でない（つまり１１以上）の場合は、Ｓ４９０に進む。Ｓ４９０では、コピー部数の設定値が１４以下か否か判断する。コピー部数の設定値が１４以下の場合は、Ｓ５００で、インク用ＬＥＤ３１〜３４を発光パターンＥで発光させる。
【００７２】
Ｓ４９０で、コピー部数の設定値が１４以下でない（つまり１５以上）の場合は、Ｓ５１０に進む。Ｓ５１０では、コピー部数の設定値が１５か否か判断する。コピー部数の設定値が１５の場合は、Ｓ５２０で、インク用ＬＥＤ３１〜３４を発光パターンＦで発光させる。
【００７３】
Ｓ５１０で、コピー部数の設定値が１５でない（つまり１６以上）の場合は、Ｓ５３０に進む。Ｓ５３０では、コピー部数の設定値が１９以下か否か判断する。コピー部数の設定値が１９以下の場合は、Ｓ５４０で、インク用ＬＥＤ３１〜３４を発光パターンＧで発光させる。
【００７４】
Ｓ５３０で、コピー部数の設定値が１９以下でない（つまり２０以上）の場合は、Ｓ５５０に進む。Ｓ５５０では、コピー部数の設定値が２０か否か判断する。コピー部数の設定値が２０の場合は、Ｓ５６０で、インク用ＬＥＤ３１〜３４を発光パターンＨで発光させる。Ｓ５５０で、コピー部数の設定値が２０でない場合は、何れの発光パターンでも発光させない。
【００７５】
なお、本実施形態の複合機１は、既述の通り、２０部を超えるコピー部数の設定は受け付けない。そのため、通常は、コピー部数の設定値が２１以上になることはなく、Ｓ５５０で否定判定されることはない。ただし、複合機１が、２０部を超えるコピー部数についても設定を受け付け可能な仕様である場合は、Ｓ５５０で否定判定されることが起こり得る。
【００７６】
図４のコピー部数表示処理を実行した後は、Ｓ１６０（図３）に進む。Ｓ１６０では、押下されたコピーキーが離されたか否か、つまり押下されたコピーキーが再び押下されな
い状態に戻ったか否かを判断する。押下されたコピーキーが離されるまではＳ１６０の判断処理を継続する。押下されたコピーキーが離されたら、Ｓ１７０に進む。
【００７７】
Ｓ１７０では、コピーキーが離された後、再び押下されることなく２秒以上経過したか否か判断する。この判断は、コピー部数を確定するか否かの判断である。判断基準である２秒という時間はあくまでも一例である。
【００７８】
Ｓ１７０で、コピーキーが離されてからまだ２秒以上経過していない場合は、Ｓ２５０で、カラーコピーキー２４が押下されたか否か判断する。カラーコピーキーが押下されていない場合は、Ｓ３３０で、モノクロコピーキー２３が押下されたか否か判断する。モノクロコピーキー２３が押下されていない場合は、Ｓ１５０に戻る。
【００７９】
Ｓ２５０で、カラーコピーキー２４が押下されたと判断した場合は、Ｓ２６０で、コピー色がカラーに設定されているか否か判断する。コピー色がカラーに設定されている場合は、Ｓ２７０で、コピー部数の設定値をインクリメント（１つ増加）する。つまり、コピー色がカラーの場合にカラーコピーキー２４が押下された場合は、カラーコピーのコピー部数をインクリメントするのである。
【００８０】
Ｓ２７０でコピー部数をインクリメントした後は、Ｓ２８０で、コピー部数の設定値が２０以上になったか否か判断する。まだ２０以上になっていない場合はＳ１５０に戻る。２０以上になった場合は、Ｓ２９０で、コピー部数の設定値を２０に設定して、Ｓ１５０に戻る。
【００８１】
Ｓ２６０で、コピー色がカラーに設定されていない場合（即ちモノクロに設定されている場合）は、Ｓ３００で、コピー部数の設定値をデクリメント（１つ減算）する。つまり、コピー色がモノクロの場合にカラーコピーキー２４が押下された場合は、カラーコピーのコピー部数をデクリメントするのである。
【００８２】
Ｓ３００でコピー部数をデクリメントした後は、Ｓ３１０で、コピー部数の設定値が１以下になったか否か判断する。まだ１以下になっていない場合はＳ１５０に戻る。１以下になった場合は、Ｓ３２０で、コピー部数の設定値を１に設定して、Ｓ１５０に戻る。
【００８３】
Ｓ３３０で、モノクロコピーキー２３が押下されたと判断した場合は、Ｓ３４０で、コピー色がカラーに設定されているか否か判断する。コピー色がカラーに設定されている場合は、Ｓ３００に進む。つまり、コピー色がカラーに設定されている場合にモノクロコピーキー２３が押下された場合は、Ｓ３００でコピー部数をデクリメントする。一方、コピー色がカラーに設定されていない場合（即ちモノクロに設定されている場合）は、Ｓ２７０に進む。つまり、コピー色がモノクロに設定されている場合にモノクロコピーキー２３が押下された場合は、Ｓ２７０でコピー部数をインクリメントする。
【００８４】
Ｓ１７０で、コピーキーが離されてから２秒以上経過した場合は、Ｓ１８０に進む。この時点で、現在設定されているコピー部数の設定値が、実際にコピーすべき部数として確定する。Ｓ１８０では、その確定したコピー部数のコピー印刷を開始する。
【００８５】
Ｓ１９０では、１部のコピー印刷が終了したか否か判断する。１部のコピー印刷が終了すると、Ｓ２００で、コピー部数の設定値をデクリメントする。つまり、コピー印刷開始後は、コピー部数の設定値は、コピーすべき残部数（確定したコピー部数のうちまだコピー印刷が完了していない部数）を示すことになる。
【００８６】
Ｓ２１０では、残りのコピー部数、即ち現在のコピー部数の設定値（残部数）が０にな
ったか否か判断する。残りのコピー部数がまだ０ではない場合は、Ｓ２２０で、コピー部数表示処理を実行する。Ｓ２２０のコピー部数表示処理は、Ｓ１５０のコピー部数表示処理と同じ処理であり、その詳細は図４に示した通りである。Ｓ２２０のコピー部数表示処理により、コピー印刷開始後は、インク用ＬＥＤ３１〜３４は、残りのコピー部数に応じた発光パターンで発光することになる。Ｓ２２０でコピー部数表示処理を実行した後は、Ｓ１９０に戻る。
【００８７】
Ｓ２１０で、残りのコピー部数が０になったと判断した場合は、Ｓ２３０で、所定のコピー終了処理を行う。そして、Ｓ２４０で、ＬＥＤ表示モードを通常表示モードに設定して、本コピー制御処理を終了する。
【００８８】
（５）第１実施形態の効果等
以上説明した本実施形態の複合機１によれば、４つのインク用ＬＥＤ３１〜３４が、コピー部数に応じた発光パターンで発光するように制御される。そのため、複合機１は液晶表示パネル等の情報表示装置を持たない構成であるものの、複合機１のユーザは、インク用ＬＥＤ３１〜３４の発光状態を確認することで、コピー部数の設定状態を把握することができる。
【００８９】
４つのインク用ＬＥＤ３１〜３４は、コピーが行われない通常時にはインクカートリッジのインク残量の報知用（詳しくはニアエンプティ又はエンプティの報知用）として機能し、コピーが行われる際にはコピー部数の報知用として機能する。つまり、本実施形態の複合機１では、４つのインク用ＬＥＤ３１〜３４が、インク残量の報知用とコピー部数の報知用の双方で兼用される。そのため、大型化及びコストアップを抑えつつ、インク残量及びコピー部数に関する情報をユーザに報知できるという付加価値の向上が実現されている。
【００９０】
また、コピー部数の設定値が単位部数（本実施形態では５部）のｎ倍（本実施形態ではｎ＝１〜４）になる毎に、４つのインク用ＬＥＤ３１〜３４の発光パターンが変化する。さらに、コピー部数の設定値が単位部数のｎ倍以外になっている場合も、部数に応じて予め決められた発光パターンでインク用ＬＥＤ３１〜３４が制御される。そのため、複合機１でコピー機能を利用するユーザは、設定中のコピー部数を把握しやすい。
【００９１】
特に、本実施形態では、図２に示したように、コピー部数の増加に応じて、一列に配列されているインク用ＬＥＤ３１〜３４をその一端側（本実施形態では右端のマゼンタＬＥＤ３１）から他端側に向けて順次点灯させるようにしている。そのため、ユーザは、点灯しているＬＥＤの位置に基づいてコピー部数の設定状態を容易に把握することが可能である。
【００９２】
また、コピー部数が確定してコピーが開始された後も、残部数に応じてインク用ＬＥＤ３１〜３４の発光パターンが変化する。そのため、ユーザは、コピー開始後に残部数を把握することが可能である。この点でも、ユーザの使い勝手の向上が図られている。
【００９３】
また、本実施形態の複合機１は、モノクロコピー用のモノクロコピーキー２３とカラーコピー用のカラーコピーキー２４を個別に備え、モノクロコピー及びカラーコピーの双方が可能であり、且つそれぞれのコピー部数の設定中にその設定値がインク用ＬＥＤ３１〜３４を介して報知される。
【００９４】
しかも、モノクロコピーのコピー部数を設定中にそのコピー部数を減らしたい場合は、カラーコピーキー２４を押下することで減らすことができる。逆に、カラーコピーのコピー部数を設定中にそのコピー部数を減らしたい場合は、モノクロコピーキー２３を押下す
ることで減らすことができる。そのため、モノクロコピー及びカラーコピーのいずれの場合も、コピー部数の増減設定を容易に行うことができる。
【００９５】
［第２実施形態］
上述した第１実施形態では、コピーキーを押下する毎にコピー部数の設定値が１つずつ増減（インクリメント又はデクリメント）する構成であったが、ユーザによるコピー部数の設定方法は他にも考えられる。例えば、コピーキーを押下した状態を継続する（いわゆる長押しをする）ことで、その長押しをしている間、コピー部数の設定値を自動的に順次インクリメント又はデクリメントさせる設定方法も考えられる。そこで、このように長押しによりコピー部数を設定可能な構成を、第２実施形態として説明する。本実施形態では、一例として、コピーキーを２秒以上押下し続けることを長押しと定義する。
【００９６】
本実施形態の複合機１においても、コピーキーが長押しされない場合のコピー部数の設定方法については第１実施形態と同じである。つまり、コピーキーが押下される毎にコピー部数の設定値がインクリメント又はデクリメントされる。また、コピーキーが押下されていない状態が一定時間（例えば２秒）以上経過した場合にコピー部数が確定されてコピー印刷が介しされることも、第１実施形態と同様である。
【００９７】
一方、ユーザがコピーキーを長押しすると、その長押ししている間は、特定の部数増加周期毎に１部ずつ設定値が増加又は減少していく。それに応じて４つのインク用ＬＥＤ３１〜３４の発光パターンも変化する。特定の部数増加周期は適宜決めることができ、本実施形態では０．５秒である。
【００９８】
図５を用いて、本実施形態のコピー制御処理を説明する。図５のコピー制御処理において、Ｓ６１０〜Ｓ６５０の処理は、図３に示した第１実施形態のコピー制御処理におけるＳ１１０〜Ｓ１５０の処理と同じであり、Ｓ９５０の処理は図３のＳ３４０の処理と同じであるため、これら各処理については説明を省略する。
【００９９】
複合機１のＣＰＵ１１は、Ｓ６５０のコピー部数表示処理の後、Ｓ６６０に進むと、押下されたコピーキーが離されたか否か判断する。押下されたコピーキーが離されたら、Ｓ６８０に進む。
【０１００】
Ｓ６８０では、コピーキーが離されてから２秒以上経過したか否か判断する。コピーキーが離されてから２秒以上経過した場合は、Ｓ６９０以降に進み、コピー印刷を実行する。Ｓ６９０〜Ｓ７５０の処理は、図３に示した第１実施形態のコピー制御処理におけるＳ１８０〜Ｓ２４０の処理と同じであるため、説明を省略する。
【０１０１】
Ｓ６８０で、コピーキーが離されてからまだ２秒以上経過していないと判断した場合は、Ｓ８２０で、再び何れかのコピーキーが押下されたか否か判断する。何れのコピーキーも押下されていない場合はＳ６８０に戻り、何れかのコピーキーが押下された場合はＳ８３０（図６参照）に進む。
【０１０２】
図６に示すように、Ｓ８３０では、押下されているコピーキーはカラーコピーキー２４であるか否か判断する。カラーコピーキー２４が押下されている場合は、Ｓ８４０で、コピー色がカラーに設定されているか否か判断する。コピー色がカラーに設定されている場合は、Ｓ８５０で、コピー部数の設定値をインクリメントする。
【０１０３】
Ｓ８５０でコピー部数をインクリメントした後は、Ｓ８６０で、コピー部数の設定値が２０以上になったか否か判断する。まだ２０以上になっていない場合はＳ９２０に進む。２０以上になった場合は、Ｓ８７０で、コピー部数の設定値を２０に設定して、Ｓ９２０
に進む。
【０１０４】
Ｓ８４０で、コピー色がカラーに設定されていない場合（即ちモノクロに設定されている場合）は、Ｓ８８０で、コピー部数の設定値をデクリメントする。Ｓ８８０でコピー部数をデクリメントした後は、Ｓ８９０で、コピー部数の設定値が１以下になったか否か判断する。まだ１以下になっていない場合はＳ９２０に進む。１以下になった場合は、Ｓ９００で、コピー部数の設定値を１に設定して、Ｓ９２０に進む。
【０１０５】
Ｓ８３０で、押下されているコピーキーがカラーコピーキー２４ではない（つまりモノクロコピーキー２３である）と判断した場合は、Ｓ９１０で、コピー色がカラーに設定されているか否か判断する。コピー色がカラーに設定されている場合は、Ｓ８８０に進む。一方、コピー色がカラーに設定されていない場合（即ちモノクロに設定されている場合）は、Ｓ８５０に進む。
【０１０６】
Ｓ９２０では、コピー部数表示処理を実行する。Ｓ９２０のコピー部数表示処理は、図４に示した第１実施形態のコピー部数表示処理と同じである。Ｓ９２０でコピー部数表示処理を実行することにより現時点でのコピー部数の設定値に対応した発光パターンでインク用ＬＥＤ３１〜３４を発光させた後、Ｓ９３０に進む。
【０１０７】
Ｓ９３０では、コピーキーが離されたか否か判断する。コピーキーが離されていない（押下継続中）と判断した場合は、Ｓ９４０で、部数増減から０．５秒経過したか否か判断する。即ち、Ｓ８５０でコピー部数の設定値がインクリメントされてからＳ９４０に進んできた場合には、Ｓ８５０のインクリメントから０．５秒経過したか否か判断し、Ｓ８８０でコピー部数の設定値がデクリメントされてからＳ９４０に進んできた場合には、Ｓ８８０のデクリメントから０．５秒経過したか否か判断する。
【０１０８】
Ｓ９４０で、部数増減から０．５秒経過していない場合はＳ９３０に戻り、部数増減から０．５秒経過した場合はＳ８３０に戻る。Ｓ８３０に戻ると、押下されているコピーキーに応じて再びコピー部数の設定値が増加又は減少される。つまり、コピーキーが押下されている間、０．５秒毎に、コピー部数の設定値が１つずつ増加（又は減少）していく。Ｓ９３０で、コピーキーが離されたと判断した場合は、Ｓ６８０（図５参照）に戻る。
【０１０９】
図５に戻り、Ｓ６６０で、押下されたコピーキーが離されていない（押下継続中）と判断した場合は、Ｓ６７０で、コピーキーが押下されてから２秒以上経過したか否か判断する。まだ２秒以上経過していない場合はＳ６６０に戻る。２秒以上経過した場合は、Ｓ７６０で、コピー部数の設定値をインクリメントする。
【０１１０】
Ｓ７７０では、コピー部数の設定値が２０以上になったか否か判断する。まだ２０以上になっていない場合はＳ７９０に進む。２０以上になった場合は、Ｓ７８０で、コピー部数の設定値を２０に設定して、Ｓ７９０に進む。Ｓ７９０では、コピー部数表示処理を実行する。Ｓ７９０のコピー部数表示処理は、図４に示した第１実施形態のコピー部数表示処理と同じである。
【０１１１】
Ｓ８００では、コピーキーが離されたか否か判断する。コピーキーが離されていない（押下継続中）と判断した場合は、Ｓ８１０で、Ｓ７６０でインクリメントしたタイミングから０．５秒経過したか否か判断する。０．５秒経過していない場合はＳ８００に戻り、０．５秒経過した場合はＳ７６０に戻る。Ｓ７６０に戻ると、再びコピー部数の設定値がインクリメントされる。Ｓ８００で、コピーキーが離されたと判断した場合は、Ｓ６８０に進む。
【０１１２】
以上説明した本実施形態の複合機１によれば、コピーキーを押下し続けることで、０．５秒毎に自動的にコピー部数の設定値を増加または減少させることができる。そのため、例えばコピー部数が多い場合や、コピー部数を大幅に増加又は減少させたい場合などに、所望の設定値へ迅速且つ容易に到達させることができる。
【０１１３】
［他の実施形態］
（１）コピー部数の設定値が単位部数の倍数以外に設定されている場合には、インク用ＬＥＤ３１〜３４のうち１つが点滅されるが、その点滅周期をコピー部数に応じて変化させるようにしてもよい。或いは、点滅周期を含む点滅パターンを、コピー部数に応じて変化させるようにしてもよい。
【０１１４】
（２）４つのインク用ＬＥＤ３１〜３４に加え、エラーＬＥＤ３５も含めて、コピー部数を報知するようにしてもよい。つまり、エラーＬＥＤ３５を含む５つのＬＥＤ３１〜３５を用いてコピー部数を報知するようにしてもよい。
【０１１５】
（３）単位部数を５部としたのはあくまでも一例であり、単位部数は５部以外であってもよい。もちろん、単位部数を１部としてもよい。また、単位部数を、ユーザ操作等によって任意の部数に設定できるようにしてもよい。
【０１１６】
（４）図２に示した発光パターンはあくまでも一例である。コピー部数の設定値を報知できる限りにおいて種々の発光パターンを採用することができる。
（５）上記実施形態では、コピー印刷の開始後も残部数に応じて発光パターンも変化させていく例を示したが、コピー印刷の開始後は発光パターンを変えない（つまり最終的に確定したコピー部数を示す発光パターンで発光させたままとする）ようにしてもよい。
【０１１７】
（６）コピー部数を報知するためのＬＥＤとして、インク残量を報知するためのインク用ＬＥＤ３１〜３４を用いたが、このように、他の目的で用いられるＬＥＤをコピー部数報知用として兼用することは必須ではない。コピー部数報知のための専用のＬＥＤを設けてもよい。
【０１１８】
（７）第２実施形態では、コピーキーを押下したままにすると０．５秒経過毎にコピー部数が順次増加又は減少する例を示したが、増加又は減少する周期を一定とせず、例えば押下継続時間に応じて、或いは設定部数に応じて、増加又は減少する周期を変化させるようにしてもよい。例えば、設定部数が５部になるまでは０．５秒間隔で増加させていき、５部を超えたらより短い間隔（例えば０．３秒間隔）で増加させるようにしてもよい。
【０１１９】
（８）インク用ＬＥＤ３１〜３４は、複合機１でエラーが発生した場合にはそのエラーの状態をユーザに報知する目的で動作させるようにしてもよい。即ち、複合機１でエラーが発生した場合にエラーＬＥＤ３５が点灯することについては既に述べた通りであるが、エラー発生時に、エラーＬＥＤ３５の点灯だけでなく、エラーＬＥＤ３５の点灯と共に、エラーの内容に応じた発光パターンで４つのインク用ＬＥＤ３１〜３４の発光を制御するようにしてもよい。
【符号の説明】
【０１２０】
１…複合機、１１…ＣＰＵ、１２…ＲＯＭ、１３…ＲＡＭ、１４…ＮＶＲＡＭ、１５…画像読取部、１６…画像形成部、１６ａ〜１６ｄ…カートリッジ、１７…操作パネル、１８…ネットワーク通信部、２１…電源キー、２２…停止キー、２３…モノクロコピーキー、２４…カラーコピーキー、３１…マゼンタＬＥＤ、３２…シアンＬＥＤ、３３…イエローＬＥＤ、３４…ブラックＬＥＤ、３５…エラーＬＥＤ。
【図１】
2015069034.tif 000003
【図２】
2015069034.tif 000004
【図３】
2015069034.tif 000005
【図４】
2015069034.tif 000006
【図５】
2015069034.tif 000007
【図６】
2015069034.tif 000008